(57)【特許請求の範囲】
【請求項１】
天面部に開口部が形成された容器本体と、
上記容器本体の天面部にヒンジにより回動可能に結合されて上記開口部を覆う蓋と、
上記容器本体の天面部と上記蓋とにおける上記ヒンジ近傍に配設されて、弾性復元力により上記蓋を全開可能とする弾性体と、
上記容器本体と上記蓋とに設けられ、該蓋の閉時に互いに係止して該蓋を閉蓋位置に保つ係止機構部とを有してなる容器であって、
上記容器本体の天面部における上記開口部の周囲にリング状の第１シール部を備えるとともに、
上記蓋の内面における上記第１シール部に対応する部分に、該蓋の閉時に該第１シール部と密接するリング状の第２シール部を備え、
第１シール部と第２シール部の少なくとも一方に設けたリング溝に弾性パッキンを設け、
上記蓋を容器本体に結合するヒンジが、蓋に設けたヒンジピンを容器本体に設けたヒンジ孔に嵌入して構成され、容器本体に設けたヒンジ孔は該容器本体に凹状形成され該容器本体に非貫通とされてなる容器。
【請求項２】
前記容器本体が可撓性を有してなり、該容器本体の天面部が押圧されることによる該容器本体の撓み変形により、上記係止機構部の係止作用が解除可能に構成される請求項１記載の容器。
【発明の詳細な説明】
【０００１】
【発明の属する技術分野】
本発明は、蓋の開閉構造と密閉性を改良した容器に関する。
【０００２】
【従来の技術】
従来、ウエットペーパー等を収容する容器として、特開平9-39996 号公報に記載の如く、可撓性の天面部に開口部が形成された容器本体と、上記容器本体の天面部にヒンジにより回動可能に結合されて上記開口部を覆う蓋と、上記容器本体の天面部と上記蓋とにおける上記ヒンジ近傍に配設されて、弾性復元力により上記蓋を全開可能とする弾性体と、上記容器本体と上記蓋とに設けられ、該蓋の閉時に互いに係止して該蓋を閉蓋位置に保つ係止機構部とを有し、上記容器本体の天面部が押圧されることによる該容器本体の撓み変形により、上記係止機構部の係止作用が解除可能に構成されたものがある。この容器によれば、容器を床或いは机上等に置き、容器本体の天面部を片手で押圧するだけで、蓋を即座に全開させることができ、その片手で、天面部の開口部から容器本体の内容物を取り出すことができる。
【０００３】
【発明が解決しようとする課題】
然しながら、従来技術には以下の問題点がある。
▲１▼容器の閉蓋時の密閉性は、容器本体の天面部における開口部の周囲に設けたシールリングに、蓋の内面に設けたシールリングを単に突き当てるものであり、十分でない。
【０００４】
▲２▼蓋を容器本体に結合するヒンジは、蓋に設けたヒンジピンを容器本体に設けたヒンジ孔に嵌入するものであり、容器本体のヒンジ孔が該容器本体に貫通するようになっている。従って、この容器本体の貫通ヒンジ孔が容器の閉蓋時の密閉性を損なう。
【０００５】
▲３▼上記▲１▼、▲２▼により、容器の閉蓋時の密閉性が十分でなく、容器の内容物、例えばウエットペーパーの含浸剤にエタノールの如くの揮発性物質を含んでいる場合には、内容物の成分が揮散し易い。
【０００６】
本発明の課題は、容器において、閉蓋時の密閉性を向上することにある。
【０００７】
【課題を解決するための手段】
請求項１に記載の本発明は、天面部に開口部が形成された容器本体と、上記容器本体の天面部にヒンジにより回動可能に結合されて上記開口部を覆う蓋と、上記容器本体の天面部と上記蓋とにおける上記ヒンジ近傍に配設されて、弾性復元力により上記蓋を全開可能とする弾性体と、上記容器本体と上記蓋とに設けられ、該蓋の閉時に互いに係止して該蓋を閉蓋位置に保つ係止機構部とを有してなる容器であって、上記容器本体の天面部における上記開口部の周囲にリング状の第１シール部を備えるとともに、上記蓋の内面における上記第１シール部に対応する部分に、該蓋の閉時に該第１シール部と密接するリング状の第２シール部を備え、第１シール部と第２シール部の少なくとも一方に設けたリング溝に弾性パッキンを設け、上記蓋を容器本体に結合するヒンジが、蓋に設けたヒンジピンを容器本体に設けたヒンジ孔に嵌入して構成され、容器本体に設けたヒンジ孔は該容器本体に凹状形成され該容器本体に非貫通とされてなるようにしたものである。
【００１４】
【発明の実施の形態】
図１は容器を示す斜視図、図２は容器の開蓋状態を示す断面図、図３は容器の閉蓋状態を示す断面図、図４は容器本体と蓋の分離状態を示す模式図、図５は図４のVI-VI 線に沿う断面図、図６は変形例を示す模式図である。
【００１５】
容器１０は、使用目的に応じた液体（例えば水や薬液）を含浸したウエットペーパー等の内容物を収納する容器であり、図１〜図５に示す如く、容器本体１１、蓋１２とを有している。
【００１６】
容器本体１１は、ウエットペーパー等の内容物を収納可能とする箱体１３と、この箱体１３の上縁部に嵌着される中蓋１４とを有する。そして、容器本体１１は、中蓋１４の天面部１４Ａに設けたシールリング１５（第１シール部）内に開口部としての透口１６を形成し、この透口１６から、箱体１３内の内容物を取出し可能としている。中蓋１４は、天面部１４Ａ、側面部１４Ｂの全体を可撓性を有するプラスチックにて構成している。
【００１７】
蓋１２は、容器本体１１を構成している中蓋１４の天面部１４Ａにヒンジ２０を介して回動可能に結合され、容器本体１１の透口１６を覆う。
【００１８】
そして、蓋１２は、その内面にインナリング２１、アウタリング２２を備え、図３に示す如く、インナリング２１の内周側に小リング２１Ａを設け、インナリング２１と小リング２１Ａとの間のリング溝２３に弾性パッキン２４を装着している。蓋１２に設けた弾性パッキン２４は、中蓋１４に設けてあるシールリング１５に対応し、蓋１２の閉蓋時に、シールリング１５と密接して透口１６を封止する。尚、この蓋１２の閉蓋時に、蓋１２のアウタリング２２は中蓋１４の天面部１４Ａに突き当たる。この透口１６の密封により、容器本体１１の内容物の成分の揮散を防止し、その湿潤状態を保つ。弾性パッキン２４は、例えばシリコーンゴムからなるＯリングを採用できる。
【００１９】
また、蓋１２を容器本体１１の中蓋１４に結合するヒンジ２０は、蓋１２に設けた一対のヒンジピン２０Ａを中蓋１４の天面部１４Ａに設けた一対のヒンジ孔２０Ｂに遊嵌して構成された間接接合ヒンジである。このとき、容器本体１１の中蓋１４に設けたヒンジ孔２０Ｂは、図４、図５に示す如く、中蓋１４に凹状形成され、中蓋１４に非貫通とされる。
【００２０】
容器本体１１を構成している中蓋１４の天面部１４Ａと、蓋１２におけるヒンジ２０の近傍には、ゴム状弾性体３０が配設される。ゴム状弾性体３０は、蓋１２の閉蓋時に、中蓋１４と蓋１２との間で弾性変形し、この弾性復元力により蓋１２を全開可能とする。
【００２１】
ゴム状弾性体３０は、一端部と他端部とを直角に交差させて一体化したＬ字状をなし（図２）、一端部を蓋１２の裏面に設けた嵌合凹部３１に嵌着し、他端部を蓋１２の全開状態で中蓋１４の天面部１４Ａに当接するように設定されている。
【００２２】
尚、ゴム状弾性体３０は、ゴム又はエラストマー等（例えばコンバウンドとして信越化学工業ＫＥ９５１Ｕと、加硫剤として同社製Ｃ−８とで合成されるメチルビニル系生ゴム）から構成される。
【００２３】
容器本体１１を構成している中蓋１４におけるシールリング１５のヒンジ２０と反対側の外面には係止凹部４１が設けられ、蓋１２におけるインナリング２１の内面には閉蓋時に上記係止凹部４１に係止する係止凸部４３を備えている。係止凹部４１と係止凸部４３は、係止機構部を形成し、蓋１２の閉蓋時に互いに係止し、ゴム状弾性体３０の弾性復元力に抗して蓋１２を閉蓋位置に保つ。
【００２４】
中蓋１４側の係止凹部４１と蓋１２側の係止凸部４３の係止作用は、容器本体１１を構成している中蓋１４の天面部１４Ａが押圧されることによるシールリング１５の撓み変形により、解除される。即ち、中蓋１４の天面部１４Ａが押圧力Ｆにより押圧されると、天面部１４Ａに連なるシールリング１５が撓み変形を生じ、これによってシールリング１５が箱内方側に反り返り、シールリング１５の係止凹部４１が蓋１２の係止凸部４３から外れるものとなる。
【００２５】
尚、容器本体１１を構成している中蓋１４の天面部１４Ａで、蓋１２が被着される部分の両側には、押圧指定部としてのエンボス５０Ａ、５０Ｂが一体形成されている。エンボス５０Ａ、５０Ｂは、天面部１４Ａの押圧変形をシールリング１５の係止凹部４１に最も伝え易い位置に設けられたものである。
【００２６】
従って、容器１０は、以下の如くに用いられる。
蓋１２の閉蓋時には、中蓋１４側の係止凹部４１と蓋１２側の係止凸部４３との係止作用により、蓋１２の閉蓋に伴って弾性変形されたゴム状弾性体３０の弾性復元力に抗し、蓋１２の閉蓋状態が維持される（図３）。
【００２７】
蓋１２の開蓋に際し、中蓋１４のエンボス５０Ａ、５０Ｂを押圧すると、前述の如くにより、中蓋１４側の係止凹部４１と蓋１２側の係止凸部４３との係止作用が解除される。これにより、ゴム状弾性体３０の弾性復元力が蓋１２の内面を押し、この蓋１２を全開まで開蓋する（図２）。
【００２８】
従って、本実施形態によれば、下記▲１▼〜▲３▼の作用がある。
▲１▼容器１０の閉蓋時に、容器本体１１の天面部１４Ａにおける透口１６の周囲に備えたリング状の第１シール部（シールリング１５）と、蓋１２の内面に備えたリング状の第２シール部（インナーリング２１）とを密接せしめるに際し、第１シール部と第２シール部の少なくとも一方に弾性パッキン２４を設けた。従って、第１シール部と第２シール部の封着性を向上し、容器１０の閉蓋時の密閉性を向上できる。
【００２９】
▲２▼蓋１２に設けたヒンジピン２０Ａを容器本体１１に設けたヒンジ孔２０Ｂに嵌入するに際し、容器本体１１のヒンジ孔２０Ｂが該容器本体１１に非貫通とされた。従って、容器本体１１のヒンジ孔２０Ｂが容器１０の閉蓋時の密閉性を損なうことがなく、その密閉性を向上できる。
【００３０】
上記▲１▼、▲２▼により、容器１０の閉蓋時の密閉性が十分となり、容器１０の内容物、例えばウエットペーパーの含浸剤にエタノールの如くの揮発性物質を含んでいる場合にも、内容物の成分の揮散を抑制できる。
【００３１】
▲３▼ゴム状弾性体３０の弾性復元力が蓋１２に作用した蓋１２の閉蓋状態で、容器本体１１の可撓性の天面部１４Ａが押圧されると、その天面部１４Ａに連なるシールリング１５の撓み変形によって、係止機構部（中蓋１４側の係止凹部４１と蓋１２側の係止凸部４３）の係止作用が解除されることから、このとき、ゴム状弾性体３０の弾性復元力により蓋１２が全開し、天面部１４Ａの透口１６が開く。このため、容器１０を床或いは机上等に置き、容器本体１１の天面部１４Ａを片手で押圧するだけで、蓋１２を即座に全開させることができ、その片手で、天面部１４Ａの透口１６から容器本体１１の内容物を取り出すことができる。
【００３２】
尚、上記実施形態では、第２シール部としてのインナリング２１の側に弾性パッキン２４を設ける場合について説明したが、本発明では、図６に示す如く、第１シール部としてのシールリング１５の外側に小リング１５Ａを設け、シールリング１５と小リング１５Ａとの間のリング溝２５に弾性パッキン２６を装着しても良い。また、本発明では、図６において、インナリング２１の側の弾性パッキン２４を撤去し、シールリング１５の側の弾性パッキン２６だけを備えるものとしても良い。
【００３３】
以上、本発明の実施例を図面により詳述したが、本発明の具体的な構成はこの実施例に限られるものではなく、本発明の要旨を逸脱しない範囲の設計の変更等があっても本発明に含まれる。例えば、弾性パッキン２４はＯリングに限らず、平板状パッキンでも良く、またシリコーンゴムからなるものに限らず、ブチルゴム、熱可塑性エラストマーからなるものであっても良い。
【００３４】
また、第１シール部と第２シール部の少なくとも一方に弾性パッキンを設けるものであれば良く、容器本体側の第１シール部に弾性パッキンを設け、或いは容器本体側の第１シール部と蓋側の第２シール部の両方に弾性パッキンを設けるものであっても良い。
【００３５】
また、容器本体１１を箱体１３と中蓋１４とで構成するとき、蓋１２は箱体１３にヒンジを介して結合するものでも良い。また、容器本体１１を箱体１３のみから構成するものであっても良い。
【００３６】
また、ゴム状弾性体に代わる他の弾性体を用いることもできる。但し、ゴム状弾性体は、板ばね等の金属製でないので腐食せず、このため、容器本体内の内容物に錆が混入することがない。また、ゴム状弾性体の復元力は板ばね等のように過大でないため、蓋を適切な速度で緩やかに開くことができる。
【００３７】
【発明の効果】
以上のように本発明によれば、容器において、閉蓋時の密閉性を向上することができる。
【図面の簡単な説明】
【図１】図１は容器を示す斜視図である。
【図２】図２は容器の開蓋状態を示す断面図である。
【図３】図３は容器の閉蓋状態を示す断面図である。
【図４】図４は容器本体と蓋の分離状態を示す模式図である。
【図５】図５は図４のVI-VI 線に沿う断面図である。
【図６】図６は変形例を示す模式図である。
【符号の説明】
１０  容器
１１  容器本体
１２  蓋
１４Ａ  天面部
１４Ｂ  側面部
１５  シールリング（第１シール部）
１６  透口（開口部）
２０  ヒンジ
２０Ａ  ヒンジピン
２０Ｂ  ヒンジ孔
２１  インナリング（第２シール部）
２４、２６  弾性パッキン
３０  ゴム状弾性体
４１  係止凹部（係止機構部）
４３  係止凸部（係止機構部）
【図１】
0004011681.tif 000002
【図２】
0004011681.tif 000003
【図３】
0004011681.tif 000004
【図４】
0004011681.tif 000005
【図５】
0004011681.tif 000006
【図６】
0004011681.tif 000007